(57)【特許請求の範囲】
【請求項１】
家具の本体側に設けられ、水平軸を中心にローラー（１０）を回転可能にそれぞれ支持する２つの支持レール（８）と、
上記家具の引き出し側に設けられ、垂直ウェブ（５）と該垂直ウェブ（５）の上部から湾曲された水平走路（６）とを有する２つの引き出しレール（４）とを備え、
上記走路（６）下部の被支持面は、上記家具の本体部分（３）の前部領域の位置において上記支持レール（８）に支持されている少なくとも２つの上記ローラー（１０）上でそれぞれ支持されており、
上記水平走路（６）の前端部分には、調整装置により回動又は垂直移動可能な部分が設けられており、
上記水平走路（６）の前端部分（２５）は、上記引き出しレール（４）の垂直ウェブ（５）を切欠いて形成されており、
上記走路（６）の前端部分（２５）には、該前端部分（２５）を上記垂直ウェブ（５）に対して回動可能にする調整装置が設けられている引き出し用案内装置。
【請求項２】
上記調整装置は、上記引き出しレール（４）に対して垂直方向に変位可能なスライダー（１５）から構成されており、
上記スライダー（１５）には、上記走路（６）の前端部分（２５）の先端を取り囲む溝と、上記スライダー（１５）を上記引き出しレール（４）に対して垂直方向に変位可能にする変位装置とが設けられている請求項１に記載の引き出し用案内装置。
【請求項３】
上記引き出しレール（４）には案内部品（１１）が連結されており、
上記案内部品（１１）側部にそれぞれ設けられた案内ウェブ（１４）の間で上記スライダー（１５）が案内されるよう構成されており、
上記スライダー（１５）には、軸（２０）に偏心的に固定された円柱形のディスク（２１）を取り囲む側面を有する横長の開口（２２）が設けられており、
上記軸（２０）は、上記案内部品（１１）において回転可能且つ軸方向に変位しないよう保持されている請求項２に記載の引き出し用案内装置。
【発明の詳細な説明】
【０００１】
【発明の属する技術分野】
本発明は、家具本体側に設けられた２つの支持レールと、上記家具の引き出し側に設けられた２つの引き出しレールとを有する引き出し用案内装置に関する。上記２つの支持レールは、水平軸を中心にローラーを回転可能に支持する一方、上記２つの引き出しレールは、該引き出しレールの垂直ウェブの上部から湾曲された水平走路を有する。上記引き出しレールの走路は、上記家具本体の前部領域の位置において上記支持レールに支持されている少なくとも２つの上記ローラー上でそれぞれ支持されている。
【０００２】
【従来の技術】
このような引き出し用案内装置は、例えば、ヨーロッパ公開特許第０４０６７０３Ａ１号により知られている。一般的に、家具は、その一部が引き出しにより構成されており、複数の引き出し及び/又は扉、ドア等を備えている。そのため、複数の引き出しの前面壁又は前面カバーを互いに位置合わせしたり、必要に応じて上記前面壁又は前面カバーをドアや扉とも位置合わせすることにより、これらの間に等しい大きさの隙間又は間隔を形成しなければならない。
【０００３】
【発明が解決しようとする課題】
しかしながら、製造公差は不可避であるため、引き出しの前面壁又は前面カバーを垂直方向に調整可能に構成することにより前面壁又は前面カバーと家具の他の部分との間に所望の寸法の間隔をあける必要があるが、ヨーロッパ公開特許第０４０６７０３Ａ１号による引き出し用案内装置はこのような調整機能を備えていない。
【０００４】
また、ドイツ登録特許第２７５２７７９Ｃ２号により知られる引き出し用案内装置には、一方のレールのウェブに当たる当接面を有する垂直方向に調整可能な止めが設けられており、上記止めが回動により垂直方向に調整されることにより引き出しの前板が垂直方向に調整可能になっている。しかしながら、この公知の垂直方向に調整可能な止めは比較的複雑な構造を伴なうとともに、上記止めには上記レールが音を立てて衝突してしまうという問題がある。
【０００５】
従って、本発明の目的は、容易に引き出しの前板を垂直方向に調整できる引き出し用案内装置を提供することである。
【０００６】
【課題を解決するための手段】
上記目的を達成するため、２つの支持レールと２つの引き出しレールとを有する本発明の引き出し用案内装置において、上記引き出しレールの水平走路の前端部分には、調整装置により回動又は垂直移動可能な部分が設けられている。これにより、上記水平走路の前端部分を調整装置により垂直方向に調整できるため、本発明に係る引き出し用案内装置では、容易に引き出しの前板を垂直方向に調整することが可能である。
【０００７】
本発明において、上記水平走路の前端部分は上記引き出しレールの垂直ウェブを切欠いて形成されており、上記水平走路の前端部分には、該前端部分を上記垂直ウェブに対して回動可能にする調整装置が設けられている。これにより、上記引き出しレールの上記走路の前端部分は必要なだけ回動されるため、本発明に係る引き出し用案内装置では、上記引き出しの前板を容易に垂直方向に調整することが可能である。上述の回動により、上記水平走路の傾斜は、不要な雑音を起こす当たりを生じることなく連続的に変化させることができる。
【０００８】
上記調整装置は、例えば、上記引き出しレールの垂直ウェブに回転可能且つ軸方向に変位しないよう連結されているとともに上記水平走路の前端部分のネジ穴に螺入されている調整用のネジから構成されていても良い。好適な実施形態において、上記調整装置は上記引き出しレールに対して垂直方向に変位可能なスライダーから構成されており、上記スライダーには上記走路の前端部分の先端を取り囲む溝と、上記スライダーを上記引き出しレールに対して垂直方向に変位可能にする変位装置とが設けられている。
【０００９】
上記引き出しレールには案内部品が連結されており、該案内部品の側部にそれぞれ設けられた案内ウェブの間で上記スライダーが案内されるよう構成されていることが好ましい。上記スライダーには、軸に偏心的に固定された円柱形のディスクを取り囲む側面を有する横長の開口が設けられており、上記軸は上記案内部品に回転可能且つ軸方向に変位しないよう連結されていることが好ましい。
【００１０】
【発明の実施の形態】
以下、図面を参照しながら本発明の実施形態及び利点を詳述する。
【００１１】
引き出しの側壁１には、一般的な方法（ここでは示さず）により前面カバー（前板）２が連結されている。尚、図面では、右側の側壁１のみが示されている。上記引き出しが家具の本体内に押し込まれた状態において、前面カバー２は、上記家具の支持壁（本体部分）３に当接する。また、図１及び図２においては、左側の支持壁３のみが示されている。
【００１２】
本発明の引き出し用案内装置は、上記家具の本体側に設けられた２つの支持用レール８と、上記家具の引き出し側に設けられた２つの引き出しレール４とを有している。本発明の実施形態において、上記引き出しの側壁１に固定された引き出しレール４は、垂直ウェブ５を備えており、この垂直ウェブ５の上部から走路６がほぼ直角に湾曲されている。一方、引き出しレール４の下部から湾曲された脚部７は、上記引き出しの側壁１に裏側から当接している。上記家具の本体側の支持レール８は、上記家具本体の支持壁３に固定され、ジャーナル９を支持している。ジャーナル９上には、上記家具本体側のローラー１０が回転可能に支持されている一方、ローラー１０上には、２つの引き出しレール４の水平走路６が支持されている。これら２つの引き出しレール４の前端にはスライダーガイド（案内部品）１１が連結されている。スライダーガイド１１は、ほぼ矩形の基板１２を備えており、該基板１２の下部領域には、円弧状に切除されて形成された切除部分１３が設けられている。スライダーガイド１１の基板１２の側部には、側部ウェブ（案内ウェブ）１４が連結されている。側部ウェブ１４は、互いに平行に延びているとともに、スライダー１５を側部から案内するよう形成されている。スライダーガイド１１の基板１２には、リベット１６が設けられている。これらリベット１６は、引き出しレール４の垂直ウェブ５の皿穴１７を貫通しており、図３に示すように、皿穴１７においてリベット固定されている。スライダーガイド１１の基板１２の上部領域には、穴１９を取り囲むベース状の隆起部分１８が設けられている。穴１９にはリベット頭が設けられた軸２０が回転可能に保持されており、軸２０は、円柱形のディスク状ヘッド（円柱形のディスク）２１を偏心的に支持している。円柱形のディスク状ヘッド２１には、ネジ回しと係合する十字穴２７が設けられている。スライダー１５には、横長の穴（開口）２２が設けられており、穴２２は段部により広く形成されている。この穴２２の領域内に、円柱形のディスク状ヘッド２１が位置している。円柱形のディスク状ヘッド２１は穴２２の段部において支持されているため、スライダー１５は、軸２０のリベット頭と円柱形のディスク状ヘッド２１との間で固定されているとともに、スライダーガイド１１上において垂直方向に変位可能に保持されている。スライダーガイド１１の上端部には、固定用のネジ２４が固定される穴２３が設けられている。
【００１３】
水平走路６の前端部分２５は、切れ目又は溝を形成することにより、即ち、引き出しレール４の垂直ウェブ５を切欠いて形成されている。スライダー１５の下端領域には、横方向に延びた溝２６が設けられている。溝２６には、走路６の前端部分２５の先端が図３に示すような状態で保持されている。ネジ回しにより円柱形のディスク状ヘッド２１を回転させ（引き出しが僅かにでも開かれた際にのみ可能である）、スライダーガイド１１内においてスライダー１５を垂直方向に調整することにより、走路６の前端部分２５が垂直ウェブ５に対して回動する。図１及び図２中の鎖線で示すように、この走路６の前端部分２５の回動により、上記家具本体の前部領域において支持レール８に支持されたローラー１０上に、前端部分２５が異なる高さで支持される。従って、上述の回動により、前面カバー２を支持壁３に対して垂直方向に調整することが可能である。
【００１４】
走路６の前端部分２５は、その自由端が垂直ウェブ５とほぼ平行に延びるよう僅かに湾曲されている。
【００１５】
図８ないし図１５に示す第１の参考例において、引き出しレール４は引き出しの側壁１にネジ留めされており、引き出しレール４の水平走路３０の端部領域は切欠かれている。引き出しレール４の垂直ウェブ３１には、長手方向に延びた補強用の折り目部分３２が設けられている。垂直ウェブ３１の端部領域には、上方に延びた延出部分３３が設けられており、延出部分３３には、ハウジング状の端部部品３５を固定するための穴３４が設けられている。端部部品３５には、穴３４と対応する穴３６が設けられている。引き出しレール４と端部部品３５との連結は、互いに対応する穴３４と穴３６とを貫通するリベットを用いて行なわれる。ハウジング状の端部部品３５の中心部には開口（溝、凹部）３７が設けられており、開口３７は、開口３７よりも拡大された溝状の開口（溝、凹部）３８へ段部を経て移行する溝から成る。スライダー３９は、その断面形状が溝３７及び３８の輪郭と対応しているとともに、溝３７及び溝３８内で変位可能に案内されるようになっている。端部部品３５の後側の側壁４０に設けられた穴４２には、偏心部材（調整装置）４１がその軸をリベット固定されることにより回転可能に保持されている。さらに、偏心部材４１の偏心部分４３は、スライダー３９の窓状の開口４４を貫通している。偏心部材４１のヘッド４５には、ネジ回し用の溝が設けられている。また、ヘッド４５は、端部部品３５の前側の壁４７に設けられた凹部４６内に位置する。凹部４６にはヘッド４５と同心状の周壁（端縁）４７´が設けられており、該周壁４７´は互いに対向する固定用開口（固定用凹部）４８を有している。ヘッド４５の端縁には、径方向に延出した延出部分として対向する固定用延出部分４９が形成されており、固定用延出部分４９は、固定用開口４８に係合するようになっている。ハウジング状の端部部品３５は、プラスチック製のダイカスト部品から構成されており、必要とされる弾性が確保されるため、固定用延出部分４９を回転させて所望の固定用開口４８において固定することができる。
【００１６】
凹部４６は、段部（リング状の段部）５０を経て溝状の凹部３７に移行する。この段状の移行部分には、弦状に陥凹した陥凹部分５１が設けられており、この陥凹部分５１が偏心部材４１の回転角度を制限する止めを形成している。
【００１７】
偏心部材４１をネジ回しで回転させることにより、スライダー３９を図８に示す挿入位置から図９に示す移動位置へと移動させることができる。スライダー３９が上記移動位置にあるとき、端部部品３５の斜めに延びた被支持面の代わりに、スライダー３９の下端面５５がローラー１０により支持される被支持面となるため、図９に示す引き出しの前面カバー２の位置は図８に示す前面カバー２の位置よりも上昇している。
【００１８】
図８及び図９に示す、引き出しレール４と組み合わせた状態の端部部品３５において、端部部品３５の段状部分（段状の切欠き部分）５６は、走路３０の切欠かれた前端部分の先端を囲むようになっているため、走路３０の被支持面と端部部品３５の被支持面とが互いにスムーズ移行している。
【００１９】
図１６ないし図２０において示す第２の参考例によると、水平走路６０下部の被支持面は、端部部品６１の下面と連続している。この端部部品６１は、前部６４と、引き出しレールへの固定に用いられる後部６２との２つの部分から構成されている。後部６２は、フィルムヒンジ状の移行部分又は可撓性の薄肉箇所６３を介して前部６４に連結されている。走路６０の切欠き部分近傍の領域において、引き出しレール８０のウェブ部（垂直ウェブ）６５から脚部６６が湾曲されている。脚部６６は切欠き６７により三つの部分に分けられており、これら三つの部分は端部部品６１の後部６２の対応する開口６８に係合して後部６２を保持している。端部部品６１の前部６４には、偏心部材７０が貫通する窓状の開口６９が設けられている。偏心部材７０の差し口状の延出部分７１は、引き出しレール８０のウェブ部６５の穴７２において回転性が維持された状態でリベット固定されているため、偏心部材７０はウェブ部６５において回転可能に保持されている。窓状の開口６９は、偏心部材７０のヘッド７４が位置する陥凹７３による段部に囲まれている。ヘッド７４には、ネジ回しにより偏心部材７０を回転させるための十字穴７７が設けられている。端部部品６１は、プラスチック製のダイカスト部品から構成されているため、その薄肉箇所６３は必要とされる弾性を有している。
【００２０】
引き出しレール８０の垂直ウェブ６５からは舌部７５が湾曲されている。この舌部７５は、端部部品６１の前部６４の凹部７６により形成された被支持面に係止しているとともに、偏心部材７０を回転させて端部部品６１の前部６４を回動させるとき、薄肉箇所６３により形成された回動軸を中心に前部６４を案内するよう傾斜している。
【００２１】
図１７から分かるように、屈曲箇所（薄肉箇所）６３により後部６２の下面から前部６４の下部の被支持面７８へのスムーズな移行部分が形成されており、走路６０下部の被支持面は、隣接する端部部品６１の後部６２の下面と面一になっている。従って、前部６４を後部６２に対して回動させて引き出しの前板を垂直方向に調整した後でも、支持用のローラー１０のスムーズな走行が確保される。
【００２２】
水平に延びた走路６０の切欠き部分の端面と、端部部品６１の後部６２の切欠き部分の端面との接合面が斜めに延びていることにより、走路６０と端部部品６１の後部６２との接合部分の下でもローラー１０のスムーズな走行が確保されている。
【図面の簡単な説明】
【図１】  本発明の実施形態に係る引き出し用案内装置が設けられた引き出しの前部領域の側面図。
【図２】  前面カバーを下降させた図１の引き出しを示す図。
【図３】  図１の線III―IIIに沿って切った引き出しの部分断面図。
【図４】  上記引き出しの引き出しレールにリベットで固定される前のスライダーガイドの側面図。
【図５】  図４の線Ｖ―Ｖに沿って切ったスライダーガイドの断面図。
【図６】  スライダーの側面図。
【図７】  上記引き出しレールの前部を示す図。
【図８】  第１の参考例に係る引き出し用案内装置が設けられた、図１の引き出しに相当する引き出しの前部領域の側面図。上記引き出しは、下部に被支持面が設けられた垂直方向に調整可能なスライダーを有し且つ水平走路の切欠き部分において保持された端部部品を有する。
【図９】  図８の引き出しの前板を垂直方向に調整するためにスライダーを移動させた状態を示す図。
【図１０】  図９の線Ｘ―Ｘに沿って切った支持レールと、上記端部部品が保持された引き出しレールとの断面図。
【図１１】  上記水平走路の端部領域が切欠かれた引き出しレールの側面図。
【図１２】  上記引き出しレールから取り外されたハウジング状の端部部品の側面図。
【図１３】  図１２の端部部品の平面図。
【図１４】  図１２及び図１３の端部部品の凹部内で案内されるスライダーの側面図。
【図１５】  上記端部部品の側壁にリベットで固定される偏心部材の側面図。
【図１６】  ２つの部分から構成された端部部品を有する第２の参考例に係る引き出し用案内装置の斜視図。
【図１７】  図１６の引き出し用案内装置の別の斜視図。
【図１８】  引き出しレールから取り外された上記端部部品の側面図。
【図１９】  上記引き出しレールにリベットで固定される偏心部材の側面図。
【図２０】  上記端部部品が連結される引き出しレールの前端領域の斜視図。
【符号の説明】
１      引き出しの側壁
２      前面カバー（前板）
３      支持壁（本体部分）
４      引き出しレール
５      垂直ウェブ
６      走路
７      脚部
８      支持レール
９      ジャーナル
１０    ローラー
１１    案内部品（スライダーガイド）
１２    基板
１３    切除部分
１４    案内ウェブ（側部ウェブ）
１５    スライダー
１６    リベット
１７    皿穴
１８    隆起部分
１９    穴
２０    軸
２１    円柱形のディスク状ヘッド（円柱形のディスク）
２２    開口（穴）
２３    穴
２４    固定用のネジ
２５    前端部分
２６    溝
２７    十字穴
３０    走路
３１    垂直ウェブ
３２    折り目部分
３３    延出部分
３４    穴
３５    端部部品
３６    穴
３７、３８    凹部（開口、溝）
３９    スライダー
４０    側壁
４１    偏心部材（調整装置）
４２    穴
４３    偏心部分
４４    窓状の開口
４５    ヘッド
４６    凹部
４７    壁
４７´  端縁（周壁）
４８    固定用凹部（固定用開口）
４９    固定用延出部分
５０    リング状の段部（段部）
５１    止め（陥凹部分）
５５    被支持面（下端面）
５６    段状の切欠き部分（段状部分）
６０    走路
６１    端部部品
６２    後部
６３    フィルムヒンジ状の移行部分又は可撓性の薄肉箇所
６４    前部
６５    垂直ウェブ（ウェブ部）
６６    脚部
６７    切欠き
６８    開口
６９    窓状の開口
７０    偏心部材
７１    差し口状の延出部分
７２    穴
７３    陥凹
７４    ヘッド
７５    舌部
７６    凹部
７７    十字穴
７８    被支持面
８０    引き出しレール
【図１】
0003880445.tif 000002
【図２】
0003880445.tif 000003
【図３】
0003880445.tif 000004
【図４】
0003880445.tif 000005
【図５】
0003880445.tif 000006
【図６】
0003880445.tif 000007
【図７】
0003880445.tif 000008
【図８】
0003880445.tif 000009
【図９】
0003880445.tif 000010
【図１０】
0003880445.tif 000011
【図１１】
0003880445.tif 000012
【図１２】
0003880445.tif 000013
【図１３】
0003880445.tif 000014
【図１４】
0003880445.tif 000015
【図１５】
0003880445.tif 000016
【図１６】
0003880445.tif 000017
【図１７】
0003880445.tif 000018
【図１８】
0003880445.tif 000019
【図１９】
0003880445.tif 000020
【図２０】
0003880445.tif 000021